(57)【要約】【課題】  外部への光の漏洩を確実に防止し、且つ、ガイド部材の変形を抑制する。【解決手段】  メディアＭの挿脱開口部４が形成される表面パネル３と、この表面パネル３の裏面側に接続され挿入されたメディアＭを案内するガイド部材９と、このガイド部材９と間隙Ｓをおいて配置されメディアＭが挿脱時に通過する通過孔１４が形成されるスイッチ基板１３と、を備え、スイッチ基板１３に表面パネル３側を照射する光源体１１が設置される車載用オーディオ装置１において、ガイド部材９に光源体１１から放射される光の間隙Ｓへの進入を阻止するリブ１７を形成した。【選択図】  図２
2005285299.tif 000002
【特許請求の範囲】
【請求項１】
メディアの挿脱開口部が形成される表面パネルと、この表面パネルの裏面側に接続され挿入されたメディアを案内するガイド部材と、このガイド部材と間隙をおいて配置され前記メディアが挿脱時に通過する通過孔が形成される回路基板と、を備え、前記回路基板に表面パネル側を照射する光源体が設置される電子機器において、
前記ガイド部材に、前記光源体から放射される光の前記間隙への進入を阻止する突出部を形成したことを特徴とする電子機器。
【請求項２】
前記ガイド部材は、
挿脱されるメディアの外周に沿うよう形成され該メディアの挿脱方向へ延びる板状の誘導部と、
前記誘導部における前記挿脱開口部側の端部から外側に延出する案内フランジ部と、を有することを特徴とする請求項１に記載の電子機器。
【請求項３】
前記突出部は、前記ガイド部材の前記案内フランジ部に、前記回路基板側へ向かって突出形成されたリブであることを特徴とする請求項２に記載の電子機器。
【請求項４】
前記突出部は、前記ガイド部材の前記誘導部における前記挿脱開口部と反対側の端部から外側へ延出する突出フランジ部であることを特徴とする請求項２に記載の電子機器。
【請求項５】
前記突出部を前記回路基板と接続したことを特徴とする請求項１から４のいずれか一項に記載の電子機器。
【発明の詳細な説明】
【技術分野】
【０００１】
本発明は、電子機器に関する。
【背景技術】
【０００２】
車載用オーディオ装置をはじめとして、家庭用オーディオ装置、コンピュータ端末等の電子機器には、筐体の表面パネルにメディアの挿脱開口部が形成される。この電子機器では、挿脱開口部を通じてメディアを筐体内に収納して、筐体内のメディア再生装置でメディアの再生を行う（例えば、特許文献１参照。）。一般的な電子機器を図５に示す。
【０００３】
この電子機器２０１は、筐体２０２の表面パネル２０３に透光部２０６が配されるとともに、挿脱開口部２０４が形成される。この電子機器２０１は車載用オーディオ装置であり、メディアとしてＣＤを取り扱う。表面パネル２０３の裏面側には挿脱開口部２０４と連続して筐体２０２の内部方向へ延びる挿脱案内部２０７が形成される。この挿脱案内部２０７には不織布２０８を介在させて板状のガイド部材２０９が設置される。挿脱開口部２０４から挿入されたメディアは、挿脱案内部２０７とガイド部材２０９により案内され、メディア再生装置２１０へ収納される。
【０００４】
また、筐体２０２内には、操作部のスイッチ類に対応して回路基板としてのスイッチ基板２１３が配される。このスイッチ基板２１３には、透光部２０６を照射するための光源体２１１が組み込まれる。また、スイッチ基板２１３には、メディアの挿脱経路を確保するために通過孔２１４が形成される。そして、ガイド部材２０９とスイッチ基板２１３とは、互いに間隙Ｓをおいて配されている。メディア再生部２１０の位置によりガイド部材２０９が決定され、スイッチ基板２１３の位置は操作部の構造により決定されることから、メディア再生部２１０、操作部等の仕様が異なり筐体２が共通の複数種類の車載用オーディオ装置２０１で、ガイド部材２０９とスイッチ基板２１３に関する部品の共用化が図られている。また、スイッチ基板２１３には、光源体２１１の光を透光部２０６へ案内する照明導光板２１２が設置されている。
【特許文献１】特開２００１−３１９４０６号公報
【発明の開示】
【発明が解決しようとする課題】
【０００５】
しかしながら、前記電子機器２０１では、間隙Ｓに光源体１１の光が進入すると、図５に示すように、光がメディア再生部２１０に反射してメディアの挿脱経路へ進入する。これにより、メディアの挿脱経路に配された各不織布２０８の隙間から光が外部へ漏れ、製品の外観を損なうおそれがあった。
また、板状のガイド部材２０９は比較的脆弱であることから、ガイド部材２０９に加わる負荷により変形してメディアの挿脱を阻害するおそれがあり、ガイド部材２０９の剛性、強度の向上がのぞまれている。
【０００６】
本発明は、前記事情に鑑みてなされたものであり、その目的とするところは、外部への光の漏洩を確実に防止することができ、且つ、ガイド部材の変形を抑制することのできる電子機器を提供することにある。
【課題を解決するための手段】
【０００７】
前記目的を達成するため、請求項１に記載の発明では、メディアの挿脱開口部が形成される表面パネルと、この表面パネルの裏面側に接続され挿入されたメディアを案内するガイド部材と、このガイド部材と間隙をおいて配置され前記メディアが挿脱時に通過する通過孔が形成される回路基板と、を備え、前記回路基板に表面パネル側を照射する光源体が設置される電子機器において、前記ガイド部材に、前記光源体から放射される光の前記間隙への進入を阻止する突出部を形成したことを特徴とする。
【０００８】
請求項２に記載の発明では、請求項１に記載の電子機器において、前記ガイド部材は、挿脱されるメディアの外周に沿うよう形成され該メディアの挿脱方向へ延びる板状の誘導部と、前記誘導部における前記挿脱開口部側の端部から外側に延出する案内フランジ部と、を有することを特徴とする。
【０００９】
請求項３に記載の発明では、請求項２に記載の電子機器において、前記突出部は、前記ガイド部材の前記案内フランジ部に、前記回路基板側へ向かって突出形成されたリブであることを特徴とする。
【００１０】
請求項４に記載の発明では、請求項２に記載の電子機器において、前記突出部は、前記ガイド部材の前記誘導部における前記挿脱開口部と反対側の端部から外側へ延出する突出フランジ部であることを特徴とする。
【００１１】
請求項５に記載の発明では、請求項１から４のいずれか一項に記載の電子機器において、前記突出部を前記回路基板と接続したことを特徴とする。
【発明の効果】
【００１２】
本発明によれば、外部への光の漏洩を確実に防止することができ、且つ、ガイド部材の変形を抑制することができる。
【発明を実施するための最良の形態】
【００１３】
図１及び図２は本発明の第１の実施形態を示すもので、図１は車載用オーディオ装置の概略外観斜視図、図２は車載用オーディオ装置の側面断面図である。
【００１４】
図１に示すように、電子機器としての車載用オーディオ装置１は、車両に取り付けられ略直方体形状を呈する筐体２を備え、筐体２の表面パネル３にメディアＭの挿脱開口部４、表示部５及び透光部６が設けられている。本実施形態の車載用オーディオ装置１はＣＤ再生に係るものであり、挿脱開口部４はメディアＭとしてのＣＤに対応するよう横長に形成されている。
【００１５】
図２に示すように、表面パネル３の裏面側には、挿脱開口部４の周縁と連続し筐体２の内部方向へ延びる挿脱案内部７が形成される。この挿脱案内部７の先端には不織布８を介在させてガイド部材９が設けられる。すなわち、挿脱案内部７及びガイド部材９によりメディアＭの挿脱経路が画成され、メディアＭは筐体２の内部に配されるメディア再生部１０へ案内される。
【００１６】
本実施形態においては、図２に示すように、不織布８は上下一対に設けられ、メディアＭに対して略垂直となるよう挿脱経路に突出するよう配されている。これにより、メディアＭは挿入時に各不織布８と接触し、メディアＭに付着した異物、塵埃等が除去されるようになっている。
【００１７】
筐体２内には、操作部におけるツマミ等の照明用の光源体１１が配される。本実施形態においては、光源体１１は１つであり、照明導光板１２により光源体１１から放射される光が透光部６の全面へ略均一となるよう導かれる。尚、光源体１１の個数は透光部６の配置状態等に応じて適宜に変更可能であり、光源体１１が複数備えられたものであってもよい。光源体１１及び照明導光板１２は、操作部の各種スイッチ等と接続される回路基板としてのスイッチ基板１３に組み込まれる。
【００１８】
図２に示すように、スイッチ基板１３は、表面パネル３と略平行となるよう筐体２内に配される。スイッチ基板１３には、メディアＭの挿脱経路に対応して、メディアＭが挿脱時に通過する通過孔１４が形成されている。スイッチ基板１３は、ガイド部材９と間隙Ｓをおいて配置される。メディア再生部１０の位置によりガイド部材９が決定され、スイッチ基板１３の位置は操作部の構造により決定されることから、メディア再生部１０、操作部等の仕様が異なり筐体２が共通の複数種類の車載用オーディオ装置１で、ガイド部材９とスイッチ基板１３に関する部品の共用化が図られている。
【００１９】
ここで、ガイド部材９は、挿脱されるメディアＭの外周に沿うよう形成されメディアＭの挿脱方向へ延びる板状の誘導部１５と、この誘導部１５における挿脱開口部４側の端部からメディア挿脱経路と反対側へ延出する案内フランジ部１６と、を有する。本実施形態においては、ガイド部材９の誘導部１５は通過孔１４を挿通するよう配され、ガイド部材９の案内フランジ部１６は、スイッチ基板１３と略平行に延び、スイッチ基板１３よりも表面パネル３側に配される。本実施形態においては、この案内フランジ部１６に不織布８が固定されている。
【００２０】
また、ガイド部材９は、案内フランジ部１６に、スイッチ基板１３側へ向かって突出形成されたリブ１７を有する。本実施形態においては、リブ１７は誘導部１５と略平行に延び、端部がスイッチ基板１３と接続される。すなわち、このリブ１７により、間隙Ｓが閉塞されるようになっている。尚、図２にはガイド部材９の一断面が図示されているのみであるが、ガイド部材９の誘導部１５、案内フランジ部１６及びリブ１７は周方向にわたって形成され、間隙Ｓも周方向にわたって閉塞されるようになっている。
【００２１】
以上のように構成された車載用オーディオ機器１では、光源体１１から放射された光は、リブ１７に遮られて間隙Ｓを通じて機器内部側へ進入することができない。これにより、光源体１１の光がメディア再生部１０に反射して、メディアＭの挿脱経路から各不織布８の隙間を通じて外部へ漏れることはない。すなわち、製品使用時の外観を良好にすることができる。
【００２２】
また、ガイド部材９にリブ１７を形成したことにより、ガイド部材９の断面係数が増すので、ガイド部材９の変形を抑制することができる。すなわち、板状のガイド部材９を効果的に補強することができ、ガイド部材９の変形によりメディアＭの挿脱に支障をきたすことはなく、機器の信頼性を飛躍的に向上させることができる。また、ガイド部材９が変形し難くなることからガイド部材９の成型性が向上し、機器の製造コストを低減することができる。また、ガイド部材９の薄肉化等にも対応することができ、機器１の軽量化を図ることも可能となる。
【００２３】
また、本実施形態においては、突出部としてのリブ１７をスイッチ基板１３に接続したので、表面パネル３の挿脱案内部７と、ガイド部材９と、スイッチ基板１３とが接続され、構造全体として剛性、強度が飛躍的に向上する。すなわち、ガイド部材９とスイッチ基板１３とが接続されず、挿脱案内部７及びガイド部材９が片持ち梁状に構成された従来のものに比べ、ガイド部材９への上下方向の負荷によるガイド部材９の上下方向変位を抑制することができる。これにより、ガイド部材９自体の断面係数の増大と相俟って、上下方向変位が格段に小さくなる。また、ガイド部材９及びスイッチ基板１３とともに表面パネル３も補強されるので、筐体２の変形抑止にも寄与し、実用に際して極めて有利である。
【００２４】
尚、前記実施形態においては、リブ１７が案内フランジ部１６の先端部に形成されるものを示したが、例えば図３に示すように、案内フランジ部１６の先端部と基端部の間にリブ１７を形成してもよく、リブ１７の形成位置、形状等は任意である。さらには、リブ１７がスイッチ基板１３と接続されていなくとも、光源体１１の光を遮蔽するよう構成されていれば、メディアＭの挿脱経路を通じた機器外部への光の漏洩は阻止できるし、ガイド部材９の断面係数を増大させてガイド部材９の変形を抑制することができる。
【００２５】
また、前記実施形態においては、突出部としてリブ１７をガイド部材９に形成したものを示したが、突出部の形状はリブ１７に限定されるものではないし、その他、具体的な細部構造等についても適宜に変更可能であることは勿論である。
【００２６】
図４は本発明の第２の実施形態を示す車載用オーディオ装置の側面断面図である。図３に示すように、この車載用オーディオ装置１０１は、第１の実施形態とガイド部材の形状を異にしている。ガイド部材を除く他の部品等の構成はほぼ同様であるので、ここでは他の部品等の説明は割愛し、第２の実施形態に係るガイド部材１０９について詳述する。
【００２７】
図４に示すように、第２の実施形態のガイド部材１０９は、挿脱されるメディアＭの外周に沿うよう形成されメディアＭの挿脱方向へ延びる板状の誘導部１１５と、この誘導部１１５における挿脱開口部４側の端部からメディアＭと反対側へ延出する案内フランジ部１１６と、を有する。本実施形態においては、ガイド部材１０９の誘導部１１５は通過孔１４よりも表面パネル３側に配され、ガイド部材１０９の案内フランジ部１１６がスイッチ基板１３と略平行に延びている。本実施形態においても、この案内フランジ部１１６に不織布８が固定されている。
【００２８】
また、ガイド部材１０９は、誘導部１５における挿脱開口部４と反対側の端部に形成されメディア挿脱経路と反対側へ延出する突出フランジ部１１７を有する。本実施形態においては、突出部としての突出フランジ部１１７が、スイッチ基板１３と接続される。すなわち、この突出フランジ部１１７により、間隙Ｓが閉塞されるようになっている。尚、図２にはガイド部材１０９の一断面が図示されているのみであるが、ガイド部材１０９の誘導部１１５、案内フランジ部１１６及び突出フランジ部１１７は周方向にわたって形成され、間隙Ｓも周方向にわたって閉塞されるようになっている。
【００２９】
以上のように構成された車載用オーディオ機器１０１では、光源体１１から放射された光は、突出フランジ部１１７に遮られて間隙Ｓを通じて機器内部側へ進入することができない。これにより、光源体１１の光がメディア再生部１０に反射して、メディアＭの挿脱経路から各不織布８の隙間を通じて外部へ漏れることはない。すなわち、製品使用時の外観を良好にすることができる。
【００３０】
また、ガイド部材９に突出フランジ部１１７を形成したことにより、ガイド部材９の断面係数が増すので、ガイド部材９の変形を抑制することができる。すなわち、板状のガイド部材９を効果的に補強することができ、ガイド部材９の変形によりメディアＭの挿脱に支障をきたすことはなく、機器の信頼性を飛躍的に向上させることができる。また、ガイド部材９が変形し難くなることからガイド部材９の成型性が向上し、機器の製造コストを低減することができる。また、ガイド部材９の薄肉化等にも対応することができ、機器１の軽量化を図ることも可能となる。
【００３１】
また、本実施形態においては、突出部としての突出フランジ部１１７をスイッチ基板１３に接続したので、表面パネル３の挿脱案内部７と、ガイド部材９と、スイッチ基板１３とが接続され、構造全体として剛性、強度が飛躍的に向上する。すなわち、ガイド部材９とスイッチ基板１３とが接続されず、挿脱案内部７及びガイド部材９が片持ち梁状に構成された従来のものに比べ、ガイド部材９への上下方向の負荷によるガイド部材９の上下方向変位を抑制することができる。これにより、ガイド部材９自体の断面係数の増大と相俟って、上下方向変位が格段に小さくなる。また、ガイド部材９及びスイッチ基板１３とともに表面パネル３も補強されるので、筐体２の変形抑止にも寄与し、実用に際して極めて有利である。
【００３２】
これに加え、突出フランジ部１１７がスイッチ基板１３に沿ってのびることから、ガイド部材１０９とスイッチ基板１３との接触面積を大きく確保することができ、ガイド部材１０９を的確にスイッチ基板１３に接続することができる。
【００３３】
尚、第２の実施形態においても、突出フランジ部１１７の形状等は任意である。さらに、突出フランジ部１１７がスイッチ基板１３と接続されていなくとも、光源体１１の光を遮蔽するよう構成されていれば、メディアＭの挿脱経路を通じた機器外部への光の漏洩は阻止できるし、ガイド部材１０９の断面係数を増大させてガイド部材１０９の変形を抑制することができる。
【００３４】
また、第１、第２の各実施形態においては、車載用オーディオ装置１に本発明を適用したものを示したが、例えば、家庭用のオーディオ装置やコンピュータ端末など、メディアの挿脱開口部が表面パネル形成されるものであれば、他の電子機器にも適用可能であることは勿論である。この場合、スイッチ基板１３は、操作スイッチ等に関するものでなく、他の回路基板であってもよい。
【００３５】
また、前記各実施形態においては、メディアとしてＣＤを取り扱うものを示したが、メディアとして例えばＭＤやカセットテープを取り扱うものであってもよいことは勿論である。
【００３６】
また、第２の実施形態においては突出部としての突出フランジ部１１７をガイド部材１０９に形成したものを示したが、突出部の形状はフランジ状に限定されるものではないし、その他、具体的な細部構造等についても適宜に変更可能であることは勿論である。
【図面の簡単な説明】
【００３７】
【図１】本発明の第１の実施形態を示す車載用オーディオ装置の概略外観斜視図である。
【図２】車載用オーディオ装置の側面断面図である。
【図３】第１の実施形態の変形例を示す車載用オーディオ装置の側面断面図である。
【図４】本発明の第２の実施形態を示す車載用オーディオ装置の側面断面図である。
【図５】従来例を示す車載用オーディオ装置の側面断面図である。
【符号の説明】
【００３８】
１          車載用オーディオ装置
３          表面パネル
４          挿脱開口部
９          ガイド部材
１１        光源体
１３        スイッチ基板
１４        通過孔
１５        誘導部
１６        案内フランジ部
１７        リブ
１０１      車載用オーディオ装置
１０９      ガイド部材
１１５      誘導部
１１６      案内フランジ部
１１７      突出フランジ部
Ｍ          メディア
Ｓ          間隙
【図１】
2005285299.tif 000003
【図２】
2005285299.tif 000004
【図３】
2005285299.tif 000005
【図４】
2005285299.tif 000006
【図５】
2005285299.tif 000007